(57)【特許請求の範囲】
【請求項１】
タブレットホルダーの載置台に十字形のガイド溝が形成され、ガイド溝をスライドする開閉式フックの開き角度が鋭角に設定、保持される構造を有し、フックが閉じた厚さがガイド溝の溝の深さと同じである事を特徴とするタブレットホルダー。
【発明の詳細な説明】
【技術分野】
【０００１】  本発明は、タブレット端末を搭載するタブレットホルダーに関する。
【背景技術】
【０００２】  タブレット端末は、画面がタッチパネルで構成され、タッチパネルを指で接触して操作することを特徴としており、タブレット端末を手で支える代用としてのホルダーが求められている。
【先行技術文献】
【特許文献】
【０００３】
【特許文献１】特許公開  ２０１３−０４２２５４  携帯端末機器用スタンド
【特許文献２】特許第５４０８５６１号  タブレットホルダー
【０００４】
【非特許文献１】リザウンド：  読書スタンド  カタログ
【非特許文献２】サンワサプライ：  タブレットＰＣアームスタンド  カタログ
【発明の概要】
【発明が解決しようとする課題】
【０００５】  現在使用されているタブレット端末を搭載するホルダーは、タブレットの上下またはタブレットの対角をフック挟んで固定する方法などが採用されている。たとえば上下だけを押えるシンプルな方法に於いても、下のフックにタブレットの下端を乗せてから上部のフックで挟むまでの間は、手でタブレットを押えながらもう一方の手で上のフックを降ろし、手を裏面に回してフックをロックするのが一般的である。
本発明は、仰向けに寝た状態でも、タブレットを手で押えることなく、かつ安全にタブレットの着脱が出来るタブレットホルダーを提供するものである。
【課題を解決するための手段】
【０００６】  本発明のタブレットホルダーは、タブレットの上下左右の四方をフックで押える方式によるものであり、三方、たとえば下部のフックとタブレットの横幅に合わせた左右のフックをあらかじめ固定しておき、上方からタブレットを差し込めるようにしたものである。【０００７】  上方からタブレットを着脱する方法として、タブレットホルダーの載置台に十字形のガイド溝を形成し、ガイド溝をスライドする開閉式フックのフックが閉じた状態の厚さを、ガイド溝の溝の深さと同一にする手段を提供するものである。
【発明の効果】
【０００８】  上記の手段により、フックが閉じた状態では、タブレットホルダーの載置台と開閉式フックの上面は同一の高さの平面を成し、タブレットは障害なく上方から着脱することが可能である。
あらかじめ三方のフックを固定した中にタブレットを差し込む操作は片手でも出来、差込んだ後に手を離してもタブレットが落下する恐れはなく、上方のフックも片手で固定出来るので、片手が不自由な人でも、寝ながらタブレットを使用することを可能とするものである。
【図面の簡単な説明】
【０００９】
【図１】タブレットを搭載したタブレットホルダーの平面図
【図２】Ａ−Ａ断面図
【図３】タブレットを外したタブレットホルダーの平面図
【図４】Ｂ−Ｂ分解断面図
【図５】開閉式フックの平面図
【図６】Ｃ−Ｃ断面図
【図７】フックベースの平面図
【図８】Ｄ−Ｄ断面図
【図９】フックの平面図
【図１０】フックの正面図
【図１１】フックが開いた開閉式フックの断面図
【図１２】固定式フックの断面図
【実施例】
【００１０】  以下、本発明によるタブレットホルダーを実施例により説明する。
【産業上の利用可能性】
【００１１】  本発明は、ベッドや布団で寝ながらタブレット端末を使用できるタブレットホルダーに関するものである。タブレット端末は片手で押え、もう片方の手でタッチ画面を操作して使用するもので、寝ながら使用する時には、手で支えなくてもタブレットの装着、取外しが出来るスタンド式のタブレットホルダーが望まれている。
【発明を実施するための形態】
【００１２】  ［図１］は、タブレット１を搭載したタブレットホルダー２の平面図、［図２］は、そのＡ−Ａ断面図である。
［図２］のＡ−Ａ断面図は、タブレット１の左右を、開閉式フック３のフック４により押えている状態を示している。
載置台の裏面には、スタンド等に接続するためのジョイント２０が設置されている。
［図３］は、タブレットを外したタブレットホルダーの平面図で、タブレットホルダー２が、十字形のガイド溝５を有する載置台６とガイド溝をスライドする開閉式フック３により構成されている図を示している。
【００１３】  ［図３］の載置台の上部のガイド溝には、フックが閉じた開閉式フックが配置されており、その構成を［図４］のＢ−Ｂ分解断面図により示している。
［図４］には、載置台６にガイド溝５が形成され、ガイド溝の中央には、長溝７が形成されている状態を示している。
開閉式フック３の裏面には取付ネジ８がインサート成型され、長溝７を貫通して、ナット９によりガイド溝５に締め付けて固定またはスライド出来る構成に成っている。
【００１４】  ［図４］の開閉式フック３は、フックが閉じている状態を図示しており、フックを閉じた開閉式フックの厚さは、ガイド溝５の溝の深さと同一に設定されており、それゆえ、フックが閉じた状態では、開閉式フックの上面と、載置台６の上面は同じ高さの平面を形成する。
【００１５】  ［図３］に図示された上下左右に設置された開閉式フックの内、上部の開閉式フック３のフック４は閉じており、開閉式フックの上面は、載置台の上面と同じ高さの平面を構成している。
従って、上部の開閉式フックは障害にならずに、タブレットを上方より差し込む事が可能である。
タブレットを挿入した後に、上部の開閉式フックのフックを上方に開き、フックをタブレットの上部に突き当て固定することにより、タブレットの四方が載置台に固定される。
【００１６】  本発明の説明を容易にするために、タブレットの四方を、全て開閉式フックで押える例を図示しているが、タブレットを着脱する上部以外の三方のフックは、［図１２］で示すようなフックが開閉しないフック１０を使用しても良い。
【００１７】  以下は開閉式フックの構造の説明である。
［図５］は、フックを閉じた開閉式フックの平面図、［図６］は、そのＣ−Ｃ断面図である。
開閉式フックは、フックベース１１と、フック４により構成されており、双方はピン１６によって軸支され、フックが閉じた状態では、フックベースとフックの上面が同じ高さの平面を形成している様子を表している。
【００１８】  ［図７］は、フックベースの平面図、［図８］は、そのＤ−Ｄ断面図である。
フックベース１１には、フックに接触してフックの回転に摩擦与えるための摩擦板１２とフックの開き角度を制限するストッパー１３が形成されている。
フックベース１１の左右には、軸穴Ａ１４を有する軸受部１５が形成されている。
【００１９】  ［図９］は、フックの平面図、［図１０］はフックの正面図である。
フックには、フックベースの軸穴Ａ１４にピン１６で軸支するための軸穴Ｂ１７が形成されている。
フックの端部には、当り面１８および接触面１９が形成されている。
【００２０】  ［図１１］は、フックが開いた開閉式フックの断面図である。
フック４は、ピン１６によってフックベースに軸支され、ピンを軸として開閉する様子を表している。
フックの開く角度は、フックの当り面１８がフックベース１１のストッパー１３に突き当る事によって制限され、その角度は鋭角に設定されている。
フックの角度を鋭角にする事によって、フックをタブレット側面に突き当てた時に、タブレットを下方に押し付ける力が働き、かつ、タブレットがフックから外れない効果を有するものである。
摩擦板１２は、フック４の接触部１９に接触して適度の摩擦を与え、開いたフックが閉じてしまわないように作用する効果を有するものである。
【符号の説明】
【００２１】  １  タブレット
２  タブレットホルダー
３  開閉式フック
４  フック
５  ガイド溝
６  載置台
７  長溝
８  取付ネジ
９  ナット
１０  フックが開閉しないフック
１１  フックベース
１２  摩擦板
１３  ストッパー
１４  軸穴Ａ
１５  軸受部
１６  ピン
１７  軸穴Ｂ
１８  当り面
１９  接触部
２０  ジョイント
【要約】      （修正有）【課題】ベッドや布団で寝ながら使用する時に、手で支えなくてもタブレットの装着、取外しが出来るタブレットホルダーを提供する。【解決手段】タブレットホルダー２において、タブレット１を押さえるフック４を開閉式にし、フックが閉じたときに、タブレットの載置台６と平面をなす。【選択図】図１【図１】
0005721023.tif 000002
【図２】
0005721023.tif 000003
【図３】
0005721023.tif 000004
【図４】
0005721023.tif 000005
【図５】
0005721023.tif 000006
【図６】
0005721023.tif 000007
【図７】
0005721023.tif 000008
【図８】
0005721023.tif 000009
【図９】
0005721023.tif 000010
【図１０】
0005721023.tif 000011
【図１１】
0005721023.tif 000012
【図１２】
0005721023.tif 000013